(57)【要約】【課題】照度センサを搭載した照明器具において、専用の装置を必要とせず、また、照明器具とユーザとの距離に関係なく、照明器具毎に各種設定を可能にする。【解決手段】点灯装置３の出力制御部７は、動作制御部８からの調光指令値に応じて点灯回路部６を制御し、光源４の出力（調光比）を制御する。動作制御部８は、照度センサ５の出力信号の信号レベル（センサ電圧）が所定の値となるように出力制御部７へ調光指令値を出力し、光源４への供給電力をフィードバック制御する。また、動作制御部８は、照度センサ５のセンサ電圧の増減を判定し、所定の増減パターンとなった場合に動作モードを切替え、動作モードに応じて出力制御部７へ調光指令値を出力する。【選択図】図１
2011003310.tif 000002
【特許請求の範囲】
【請求項１】
光源に電力を供給して点灯させる点灯回路部と、
明るさに応じた信号を出力するセンサ部と、
前記センサ部の出力信号の信号レベルが所定の値となるように前記点灯回路部から光源への供給電力をフィードバック制御するとともに、前記センサ部の出力信号の信号レベルが所定の増減パターンとなった場合に動作状態を切替える点灯制御部と、を備える光源点灯装置。
【請求項２】
請求項１に記載の光源点灯装置であって、
前記点灯制御部は、前記所定の増減パターンとして、前記フィードバック制御の応答速度より速い周期のパターンを用いる光源点灯装置。
【請求項３】
請求項１に記載の光源点灯装置であって、
前記点灯制御部は、前記所定の増減パターンとして、所定範囲の時間間隔の増加と減少の少なくとも一方を含むものが、所定回数発生した場合のパターンを用いる光源点灯装置。
【請求項４】
請求項３に記載の光源点灯装置であって、
前記点灯制御部は、前記出力信号の信号レベルについて、所定範囲の時間間隔の増加と減少の少なくとも一方を含む場合に増減回数をカウントし、増減回数が所定回数に達した場合に前記所定の増減パターンが発生したと判定する光源点灯装置。
【請求項５】
請求項１から４のいずれかに記載の光源点灯装置であって、
前記点灯制御部は、前記出力信号の信号レベルについて、前記増減回数をカウントする際の増加から減少または減少から増加に転じたピーク値を判定し、前記ピーク値が所定の幅を持ったピーク範囲にある場合に増減回数をカウントする光源点灯装置。
【請求項６】
請求項１から５のいずれかに記載の光源点灯装置であって、
電源のＯＮ／ＯＦＦ状態を検出する電源検出部を備え、
前記点灯制御部は、前記電源検出部の出力信号において所定のリセット条件が成立した場合に動作状態のリセットを行う光源点灯装置。
【請求項７】
請求項１から６のいずれかに記載の光源点灯装置を備えた照明装置。
【請求項８】
請求項７に記載の照明装置を複数備え、複数の照明装置間で光源点灯装置のセンサ部の出力信号を入出力する通信経路を有し、
各光源点灯装置の前記点灯制御部は、自身の光源点灯装置のセンサ部の出力信号と他の光源点灯装置のセンサ部の出力信号とを比較し、自身のセンサ部の出力信号の信号レベルが他より大きく、かつ、センサ部の出力信号の信号レベルが所定の増減パターンとなった場合に、動作状態を切替える照明システム。
【発明の詳細な説明】
【技術分野】
【０００１】
本発明は、照明光の各種設定が可能な光源点灯装置、照明装置、及び照明システムに関する。
【背景技術】
【０００２】
現在、例えば放電灯を代表とする光源を点灯する照明器具において、省エネルギーを目的として、外光を利用して光源の光出力を調節可能にした照明器具が一般的に普及している。この種の照明器具では、周囲の照度を検知する照度センサを内蔵し、外光がある場合は光源の光出力を抑え、外光がない場合は光源の光出力を定格にするといったように、周囲の照度に応じて光源の光出力を調節する機能を有している。このような照明器具において機能等の設定を行う場合、例えば、照度センサの検知信号と比較する目標レベルの設定、段調光可能なものでは調光レベルの設定などを、ロータリーディップスイッチ、又はディップスイッチ等を操作することで行うものが主であった。また、各種設定を行うための手段が装置本体と分離している、いわゆるリモコン照明器具も従来からある。
【０００３】
しかし、各種設定するためにスイッチを設ける場合、使用頻度はかなり低いのに対し、照明器具の部品全体に占めるコストは大きく、設定する際には照明器具のカバーを外さなければならないという手間がかかってしまう。リモコン装置を設ける場合も同じで、カバーを外す手間はかからないが、照明器具の部品全体に占めるコストは大変大きくなり、リモコン装置を設けるために点灯装置が大きくなってしまう。
【０００４】
これに対し、例えば、電源スイッチを利用し、通常使用で入力される場合とは異なる電源ＯＮ／ＯＦＦ入力を行うことで、各種設定を行うもの（特許文献１参照）が提案されている。また、内蔵している照度センサを利用し、懐中電灯又はスポットライトを用いて照度センサの検知入力を操作し、検知レベルが所定の閾値を上回るか下回るかのパターンが通常使用で入力される場合とは異なるパターンで検知したことで、各種設定を行うもの（特許文献２参照）などが提案されている。このような従来技術においては、専用のスイッチまたはリモコン装置を必要とせず、部品のコストダウン、デザイン向上を図ることが可能であった。
【先行技術文献】
【特許文献】
【０００５】
【特許文献１】特開平１１−２３３２７１号公報
【特許文献２】特開２００１−３３８７７５号公報
【発明の概要】
【発明が解決しようとする課題】
【０００６】
しかしながら、電源スイッチを利用して各種設定を行うものでは、同じ電源スイッチに接続されている複数の照明器具が同時に設定変更されてしまうといった課題がある。また、照度センサを利用し、検知レベルが閾値を上回るか下回るかで検知入力パターンを判定するものでは、天井が高い場合に懐中電灯又はスポットライトの光が照度センサまで十分届かず設定できないという課題がある。また、照度センサを利用する場合に、例えば携帯電話機のカメラ用のライト等、あまり強い光を出力できない装置では設定できないという課題もある。
【０００７】
本発明は、上記事情に鑑みてなされたもので、照度センサを搭載した照明器具において、専用の装置を必要とせず、また、照明器具とユーザとの距離に関係なく、照明器具毎に各種設定を行うことが可能な光源点灯装置、照明装置、及び照明システムを提供することを目的とする。
【課題を解決するための手段】
【０００８】
本発明は、光源に電力を供給して点灯させる点灯回路部と、明るさに応じた信号を出力するセンサ部と、前記センサ部の出力信号の信号レベルが所定の値となるように前記点灯回路部から光源への供給電力をフィードバック制御するとともに、前記センサ部の出力信号の信号レベルが所定の増減パターンとなった場合に動作状態を切替える点灯制御部と、を備える光源点灯装置を提供する。
【０００９】
また、本発明は、上記の光源点灯装置であって、前記点灯制御部は、前記所定の増減パターンとして、前記フィードバック制御の応答速度より速い周期のパターンを用いるものを含む。
【００１０】
また、本発明は、上記の光源点灯装置であって、前記点灯制御部は、前記所定の増減パターンとして、所定範囲の時間間隔の増加と減少の少なくとも一方を含むものが、所定回数発生した場合のパターンを用いるものを含む。
【００１１】
また、本発明は、上記の光源点灯装置であって、前記点灯制御部は、前記出力信号の信号レベルについて、所定範囲の時間間隔の増加と減少の少なくとも一方を含む場合に増減回数をカウントし、増減回数が所定回数に達した場合に前記所定の増減パターンが発生したと判定するものを含む。
【００１２】
また、本発明は、上記の光源点灯装置であって、前記点灯制御部は、前記出力信号の信号レベルについて、前記増減回数をカウントする際の増加から減少または減少から増加に転じたピーク値を判定し、前記ピーク値が所定の幅を持ったピーク範囲にある場合に増減回数をカウントするものを含む。
【００１３】
また、本発明は、上記の光源点灯装置であって、電源のＯＮ／ＯＦＦ状態を検出する電源検出部を備え、前記点灯制御部は、前記電源検出部の出力信号において所定のリセット条件が成立した場合に動作状態のリセットを行うものを含む。
【００１４】
また、本発明は、上記の光源点灯装置を備えた照明装置を提供する。
【００１５】
また、本発明は、上記の照明装置を複数備え、複数の照明装置間で光源点灯装置のセンサ部の出力信号を入出力する通信経路を有し、各光源点灯装置の前記点灯制御部は、自身の光源点灯装置のセンサ部の出力信号と他の光源点灯装置のセンサ部の出力信号とを比較し、自身のセンサ部の出力信号の信号レベルが他より大きく、かつ、センサ部の出力信号の信号レベルが所定の増減パターンとなった場合に、動作状態を切替える照明システムを提供する。
【００１６】
上記構成により、動作状態を切替えるために専用の装置を必要とせず、また、照明器具とユーザとの距離に関係なく、照明器具毎に各種設定を行うことが可能となる。
【発明の効果】
【００１７】
本発明によれば、照度センサを搭載した照明器具において、専用の装置を必要とせず、また、照明器具とユーザとの距離に関係なく、照明器具毎に各種設定を行うことが可能な光源点灯装置、照明器具、及び照明システムを提供できる。
【図面の簡単な説明】
【００１８】
【図１】本発明の実施形態に係る照明装置の内部構成を示すブロック図
【図２】本実施形態に係る照明装置の配置構成を示す模式図
【図３】本実施形態における照度センサのセンサ信号（センサ電圧）及び対応する増減判定値の例を示す動作説明図
【図４】第１の実施形態におけるセンサ電圧と増減判定値及び増減回数のカウント値の第１例を示す動作説明図
【図５】第１の実施形態におけるセンサ電圧と増減判定値及び増減回数のカウント値の第２例を示す動作説明図
【図６】動作モードの切替えを行う際の操作例を示す動作説明図
【図７】動作モード切替用の指示操作を行った場合のセンサ電圧と増減判定値及び増減回数のカウント値の例を示す動作説明図
【図８】高天井に敷設された照明器具におけるセンサ電圧と増減判定値及び増減回数のカウント値の例を示す動作説明図
【図９】照度センサを別体に配置した変形例の構成を示す構成図
【図１０】第２の実施形態におけるセンサ電圧と増減判定値及び増減回数のカウント値の第１例を示す動作説明図
【図１１】第２の実施形態におけるセンサ電圧と増減判定値及び増減回数のカウント値の第２例を示す動作説明図
【図１２】第３の実施形態におけるセンサ電圧と増減判定値及び増減回数のカウント値の第１例を示す動作説明図
【図１３】第３の実施形態におけるセンサ電圧と増減判定値及び増減回数のカウント値の第２例を示す動作説明図
【図１４】第４の実施形態に係る照明装置の構成を示すブロック図
【図１５】第４の実施形態における電源のＯＮ／ＯＦＦ状態と電源ＯＮ回数のカウント値の第１例を示す動作説明図
【図１６】第４の実施形態における電源のＯＮ／ＯＦＦ状態と電源ＯＮ回数のカウント値の第２例を示す動作説明図
【図１７】第４の実施形態における電源のＯＮ／ＯＦＦ状態と電源ＯＮ回数のカウント値の第３例を示す動作説明図
【図１８】第５の実施形態に係る照明システムの構成を示す構成図
【図１９】第５の実施形態における複数の照明器具におけるセンサ電圧の例を示す動作説明図
【発明を実施するための形態】
【００１９】
以下、本発明の実施形態を図面に基づいて説明する。
【００２０】
（第１の実施形態）
図１は本発明の実施形態に係る照明装置の内部構成を示すブロック図、図２は本実施形態に係る照明装置の配置構成を示す模式図である。
【００２１】
本実施形態の照明装置を構成する照明器具１００は、図１に示すように、点灯装置３、光源４、照度センサ５を備えている。照明器具１００は、例えば図２に示すように、オフィス、家屋などの天井１１０に取り付けられる。図２の左側の構成例に示す照明器具１００ａは、複数の光源４を配置した器具本体が天井１１０に取り付けられ、複数の光源４の中央部に照度センサ５が配置されている。図２の右側の構成例に示す照明器具１００ｂは、中央部に光源４を配置した器具本体が天井１１０に取り付けられ、光源４の近傍に照度センサ５が配置されている。照度センサ５は、照明器具の周囲の明るさに対応したアナログ信号の電圧値（センサ電圧）を出力するものである。これらの照明器具１００ａ、１００ｂは、内部に点灯装置３を備えている。
【００２２】
点灯装置３は、図１に示すように、電源スイッチの一例である壁スイッチ１から電源線２を介して商用電源ＡＣからの電源が供給される。この壁スイッチ１は点灯スイッチを兼ねるものでもある。点灯装置３は、例えば放電灯などからなる光源４に電力を供給して点灯させる点灯回路部６と、点灯回路部６から光源４への発光用電力の出力を制御する出力制御部７と、動作モードに応じて出力制御部７に対して調光指令値を出力する動作制御部８と、動作モード等を記憶する記憶部９とを備えて構成される。
【００２３】
照度センサ５は、センサ部としての機能を有するもので、照明器具の周囲の明るさに対応したセンサ電圧を出力する。この照度センサ５から出力されるセンサ電圧は点灯装置３の動作制御部８に入力される。動作制御部８は、例えばマイクロコンピュータ（マイコン）等により構成され、照度センサ５の出力信号の信号レベルが所定の値となるように出力制御部７へ調光指令値を出力し、光源４への供給電力をフィードバック制御する。また、動作制御部８は、照度センサ５からの所定の増減パターンの出力信号を受けたときに、動作モードの設定、切替を行って動作状態を変更し、動作モードに応じて出力制御部７へ調光指令値を出力する。出力制御部７は、動作制御部８からの調光指令値に応じて点灯回路部６を制御し、光源４の出力（調光比）を制御する。記憶部９は、例えばＥＥＰＲＯＭまたはフラッシュメモリなどの不揮発性の半導体記憶装置等により構成され、動作モード等の設定情報を記憶する。ここで、出力制御部７、動作制御部８、記憶部９が点灯制御部の機能を実現する。
【００２４】
動作モードとは、例えば、全点灯、調光点灯、光源の累積点灯時間に応じた調光レベル制御点灯、明るさ一定制御など、通常使用されるモードを示すものである。明るさ一定制御は、現在では一般的になってきている点灯制御方法である。明るさ一定制御では、例えば、照度センサ５からの出力信号であるセンサ信号（センサ電圧）を例えば１秒間隔で読み込み、１分間（６０回）の平均値と記憶部９に記憶した目標照度値とを比較し、センサ信号が目標照度で一定となるように出力制御部７への調光指令値をフィードバック制御する。また、所定の増減パターンとしては、センサ電圧において、例えば所定範囲の時間間隔の増加と減少の少なくとも一方を含む場合に増減回数をカウントし、増減回数が所定回数に達した場合のパターンとし、この際に所定の増減パターンが発生したと判定する。
【００２５】
次に、本実施形態の動作について説明する。図３は本実施形態における照度センサのセンサ信号（センサ電圧）及び対応する増減判定値の例を示す動作説明図、図４は第１の実施形態におけるセンサ電圧と増減判定値及び増減回数のカウント値の第１例を示す動作説明図、図５は第１の実施形態におけるセンサ電圧と増減判定値及び増減回数のカウント値の第２例を示す動作説明図である。
【００２６】
動作制御部８は、例えば図３の“↑”で示すように所定の時間間隔毎（例えば５ｍsec毎）に照度センサ５からのセンサ信号（センサ電圧）を読み込み、センサ信号の値が高くなったか低くなったかを示すパラメータを増減判定値とする。ここで、読み込み値が前回の読み込み値より大きければ、増減判定値は増加（＋）、読み込み値が前回の読み込み値より小さければ、増減判定値は減少（−）と判定する。ただし、読み込み値が前回の読み込み値と同じであれば、増減判定値は前回の読み込み時と同じとする。以下、増減判定値の増加が継続する時間を＋時間（増加時間）、減少が継続する時間を−時間（減少時間）と記載する。
【００２７】
図４の第１例に示すように、動作制御部８において所定範囲の＋時間（Ｔ１≦Ｔ＋≦Ｔ２）と−時間（Ｔ１≦Ｔ−≦Ｔ２）を連続で検出した場合、すなわち、センサ電圧におけるＴ１以上かつＴ２以下の期間の増加時間と減少時間を連続で検出した場合、動作モード切替のための増減条件が成立したと判定し、増減回数１回とする。そして、この所定範囲の＋時間と−時間を連続で検出すると、増減回数１回→２回→３回→・・・と増減回数をインクリメントする。例えば所定範囲の＋時間と−時間を所定回数（ここでは３回）連続で検出し、増減回数が３回となったときに、所定範囲よりも長い＋時間、または、−時間（Ｔ＋，Ｔ−＞Ｔ２）を検出した場合、動作モード切替条件が成立したと判定し、動作モードを切替える。
【００２８】
図５の第２例に示すように、＋時間または−時間が長く、Ｔ＋，Ｔ−＞Ｔ２となった場合、あるいは、＋時間または−時間が短く、Ｔ＋，Ｔ−＜Ｔ１となった場合は、増減回数をリセットし、増減回数０回とする。
【００２９】
動作モードを切替えるために、上記の増減条件を満たす指示を行うべくセンサ信号を意図的に操作する際に、明るさ一定制御によって光源の明るさが変化すると、自光の変化によりセンサ信号が変化してしまう。そこで、明るさ一定制御によって光源の明るさが変化しないように、上記所定範囲を規定するＴ１，Ｔ２は、明るさ一定制御の読み込み周期（本実施形態の例では１分）より短い時間に設定しておく。例えば、Ｔ１＝１．０sec、Ｔ２＝２．０secとする。すなわち、照度センサのセンサ信号による光源への供給電力のフィードバック制御の応答速度に対して、これよりも速い周期のパターンを持つ増減パターンによって動作モードを切替えるようにする。
【００３０】
動作モードの切替は、調光比を下げたり、消灯させたり、明るさ一定制御を無効にしたり、累積点灯時間をリセットすることである。例えば、動作制御部８が増減回数＝３回を検出すれば出力制御部７へ消灯信号を出力し光源を消灯させ、消灯しているときに増減回数＝３回を検出すれば点灯信号を出力し光源を点灯させる。また、増減回数により動作モードの切替の種類を割り当て、増減回数が６回であれば調光比の切替、増減回数が９回であれば明るさ一定制御の有効・無効の切替を行う。
【００３１】
図６は動作モードの切替えを行う際の操作例を示す動作説明図、図７は動作モード切替用の指示操作を行った場合のセンサ電圧と増減判定値及び増減回数のカウント値の例を示す動作説明図である。実際の操作は、図６に示すように、一般的な懐中電灯やペンライト等の発光器具１２０を用い、照明器具１００に向けて指示光１２１の照射、非照射を繰り返す。この指示光１２１の照射、非照射によって、照度センサ５から出力されるセンサ電圧が増加、減少する。所定時間Ｔ１〜Ｔ２の＋時間、−時間となるように３回照射、非照射を繰り返し、その後にＴ２以上の長さで照射すると、そのときのセンサ電圧の変化は図７のように推移する。この場合、増減回数３回となり、動作モードが切替わり消灯／点灯する。このとき、動作制御部８は動作モードの切替に応じて調光指令値を出力制御部７に出力し、出力制御部７は調光指令値に応じた出力制御を点灯回路部６に対して行い、光源４を点灯または消灯させる。
【００３２】
図８は高天井に敷設された照明器具におけるセンサ電圧と増減判定値及び増減回数のカウント値の例を示す動作説明図である。図６及び図７に示した例と同じ懐中電灯やペンライトにて、高天井に敷設された照明器具に対して同じ操作を行った場合、センサ信号の変化は図８に示すようになる。この場合、センサ信号の変化量は少なくなるが、図７の場合と同様に、増減回数３回となり、動作モードが切替わり消灯／点灯する。こうすることで、一般的にある懐中電灯等の発光器具を用いて、照明器具ごとに消灯→点灯、点灯→消灯等の動作モードを切替えることができる。また、天井の高い場合や、強い光を出力できない発光器具で操作する場合など、ユーザと照明器具の距離や発光器具にかかわらず、照明器具の動作モードを変更することが可能になる。これにより、例えば、ユーザが省エネルギーのために間引き点灯を行おうとする際、従来は一つずつ光源の負荷を外していくなどの作業が必要であったが、照明器具に触らなくても、簡単に間引き点灯を実行することができる。
【００３３】
図９は照度センサを別体に配置した変形例の構成を示す構成図である。図９の例のように、照度センサは器具一体型ではなく、照明器具１００ｃと照度センサ５とを別体に配置した別置型であってもかまわない。
【００３４】
なお、上記の実施形態では、懐中電灯等で光を照射しセンサ信号を増減させ、所定範囲の＋時間と−時間を連続で検出した場合に、増減回数をインクリメントするようにしたが、他の変形例も可能である。例えば、照度センサ部を覆えるものでセンサ信号を増減させてもよいし、検出する順番は、＋時間→−時間でも−時間→＋時間でもよい。
【００３５】
また、所定間隔毎（例えば５ｍsec毎）に増減判定値を決定したが、外的要因によって照度センサにノイズが重畳する場合が考えられるので、所定間隔毎に取得した照度センサのセンサ信号が２回連続で増加または減少した場合に、増減判定値を決定するというようにしてもよい。
【００３６】
（第２の実施形態）
第２の実施形態は、上記第１の実施形態において、動作モード切替のための照度センサのセンサ信号の増減条件が異なるものである。その他の動作、照明装置の構成は第１の実施形態と同様であるため、説明を省略する。
【００３７】
図１０は第２の実施形態におけるセンサ電圧と増減判定値及び増減回数のカウント値の第１例を示す動作説明図、図１１は第２の実施形態におけるセンサ電圧と増減判定値及び増減回数のカウント値の第２例を示す動作説明図である。
【００３８】
図１０の第１例に示すように、動作制御部８は、増減回数が０のときに所定範囲の＋時間（Ｔ１≦Ｔ＋≦Ｔ２）を検出した場合、動作モード切替のための増減条件が成立したと判定し、増減回数１回とする。増減回数が３回のときに、所定範囲よりも長い＋時間、または、−時間（Ｔ＋，Ｔ−＞Ｔ２）を検出した場合、動作モード切替条件が成立したと判定し、動作モードを切替える。また、＋時間または−時間が長く、Ｔ＋，Ｔ−＞Ｔ２となった場合、増減回数をリセットし、増減回数０回とする。＋時間または−時間が短く、Ｔ＋，Ｔ−＜Ｔ１となった場合は、増減回数は現在の値を保持する。
【００３９】
また、図１１の第２例に示すように、増減回数が０のときにセンサ信号が減少した場合は、増減回数のカウントは−時間で判定する。以下は図１０の例と同様である。
【００４０】
この第２の実施形態によれば、増減回数が所定回数に到達した場合に、そのまま操作しなければ動作モードが切替わることになり、より少ない操作で動作モードを切替えることが可能となる。
【００４１】
（第３の実施形態）
第３の実施形態は、上記第１及び第２の実施形態において、動作モード切替のための照度センサのセンサ信号の増減回数のカウントに制限を設けたものである。その他の動作、照明装置の構成は第１の実施形態と同様であるため、説明を省略する。
【００４２】
図１２は第３の実施形態におけるセンサ電圧と増減判定値及び増減回数のカウント値の第１例を示す動作説明図、図１３は第３の実施形態におけるセンサ電圧と増減判定値及び増減回数のカウント値の第２例を示す動作説明図である。
【００４３】
図１２の第１例に示すように、動作制御部８は、増減回数が０のときに所定範囲の＋時間（Ｔ１≦Ｔ＋≦Ｔ２）を検出した場合、動作モード切替のための増減条件が成立したと判定し、増減回数１回とする。ここで、増減回数を１回とするとき（増減判定値が＋から−に切替わるとき）のセンサ信号のピーク値を基準とし、ピーク値に対して所定の幅を持ったピーク範囲を、動作制御部８または記憶部９において記憶する。次に、動作制御部８は、所定範囲の＋時間（Ｔ１≦Ｔ＋≦Ｔ２）を検出した場合、そのときのセンサ信号のピーク値をピーク範囲と比較し、ピーク範囲内であれば増減回数をインクリメントする。このように、ピーク範囲を外れたピーク値で増減判定値が＋から−に切替わった場合は、ユーザ操作以外の他の要因で増減判定値が切替わったとみなし、増減回数をインクリメントしないようにする。
【００４４】
図１３の第２例に示すように、所定範囲の＋時間を検出した場合のピーク値がピーク範囲より小さい場合または大きい場合は、増減回数をリセットする。また、＋時間または−時間が長く、Ｔ＋，Ｔ−＞Ｔ２の場合、増減回数をリセットすると同時に、記憶したセンサ信号のピーク範囲もリセットする。
【００４５】
この第３の実施形態によれば、通常使用時にカーテンの揺らぎがあった場合、照度センサ直下を物体が通過した場合など、外的要因によってセンサ信号が変化する場合に、誤って動作モードが切替わってしまうことを防止することが可能になる。実際にユーザが操作する場合には、操作の途中で懐中電灯等の発光器具を変更することは考えにくく、操作中は同じ道具を使うので、ピーク値はほぼ同じになるはずであり、ユーザが動作モードを変更した場合には問題なく変更できる。
【００４６】
（第４の実施形態）
第４の実施形態は、上記第１〜第３の実施形態において、電源のＯＮ／ＯＦＦ操作で動作モードを所定の動作にリセットできるようにしたものである。その他の動作、照明装置の構成は第１の実施形態と同様であるため、説明を省略する。
【００４７】
図１４は第４の実施形態に係る照明装置の構成を示すブロック図である。第４の実施形態の照明器具１５０は、電源検出部１０を備えている。電源検出部１０は、電源スイッチの一例である壁スイッチ１のＯＮ／ＯＦＦ状態を検出し、動作制御部８へ電源状態信号を出力する。動作制御部８は、電源状態信号に基づき、電源状態信号において所定のリセット条件が成立した場合にリセットを行い、所定の動作モードにする。
【００４８】
図１５は第４の実施形態における電源のＯＮ／ＯＦＦ状態と電源ＯＮ回数のカウント値の第１例を示す動作説明図、図１６は第４の実施形態における電源のＯＮ／ＯＦＦ状態と電源ＯＮ回数のカウント値の第２例を示す動作説明図、図１７は第４の実施形態における電源のＯＮ／ＯＦＦ状態と電源ＯＮ回数のカウント値の第３例を示す動作説明図である。
【００４９】
図１５の第１例に示すように、動作制御部８は、所定範囲の電源ＯＮ時間ＴＯＮ（Ｔ３≦ＴＯＮ≦Ｔ４）を検出した場合、報知開始のための電源ＯＮ条件が成立したと判定し、電源ＯＮ回数１回とする。ここで、電源ＯＮ時間ＴＯＮの範囲は、例えばＴ３＝０．５sec、Ｔ４＝３．０secとする。電源ＯＮ回数は記憶部９に記憶しておき、次回電源ＯＮされたときには、動作制御部８が記憶部９に記憶された電源ＯＮ回数を読み出す。この所定時間ＴＯＮ（Ｔ３≦ＴＯＮ≦Ｔ４）の電源ＯＮを連続で検出すると、電源ＯＮ回数１回→２回→３回→・・・と電源ＯＮ回数をインクリメントする。そして、例えば所定時間の電源ＯＮを６回連続で検出した場合（電源ＯＮ回数が６回となった場合）、動作制御部８は、リセット条件が成立したと判定し、リセットを行って所定の動作モードにする。リセット時の動作モードとして、例えば出荷時の動作モードに戻すようにする。
【００５０】
図１６の第２例に示すように、電源ＯＮ時間ＴＯＮが長く、ＴＯＮ＞Ｔ４の場合には、電源ＯＮ回数をリセットし、電源ＯＮ回数０回とする。また、図１７の第３例に示すように、電源ＯＮ時間ＴＯＮが短く、ＴＯＮ＜Ｔ３の場合には、電源ＯＮ回数はインクリメントせず、リセットもせず、電源ＯＮ回数を維持する。
【００５１】
この第４の実施形態によれば、電源のＯＮ／ＯＦＦ操作によるリセットを行うことで、一つの電源に接続されている全ての照明器具の動作モードを一斉に所定の値にリセットすることが可能になる。なお、上記の実施形態の例では出荷時の状態へリセットするようにしたが、出荷時の動作モードへのリセットではなく、電源ＯＮ回数に応じて、所定の動作モードへ切替えるようにしてもよい。
【００５２】
（第５の実施形態）
第５の実施形態は、上記第１〜第４の実施形態において、複数の照明器具間で通信できるようにしたものである。その他の動作、照明装置の構成は第１の実施形態と同様であるため、説明を省略する。
【００５３】
図１８は第５の実施形態に係る照明システムの構成を示す構成図である。第５の実施形態の照明システムは、複数（図示例では１５個）の照明装置として照明器具Ａ〜Ｏ（１００−Ａ〜１００−Ｏ）が配設され、これらの照明器具が電源線２を介して壁スイッチ１に接続されている。また、照明器具間には通信線１６０が敷設されており、照明器具１００−Ａ〜１００−Ｏが通信線１６０を介して接続され、互いに通信可能となっている。各照明器具１００−Ａ〜１００−Ｏは、点灯装置３の動作制御部８によって、他の照明器具の照度センサの検出値（センサ電圧の値）を送受信可能としている。
【００５４】
動作制御部８は、所定範囲の＋時間（Ｔ１≦Ｔ＋≦Ｔ２）を検出した場合、そのときの照度センサの検出値（センサ電圧）と、周辺の照明器具の照度センサの検出値とを比較する。ここで、自装置の照度センサの検出値＞周辺の照明器具の照度センサの検出値である場合、動作モード切替のための増減条件が成立したと判定し、増減回数をインクリメントする。また、自装置の照度センサの検出値≦周辺の照明器具の照度センサの検出値である場合、増減回数を０にリセットする。
【００５５】
図１９は第５の実施形態における複数の照明器具におけるセンサ電圧の例を示す動作説明図である。この図１９では、図１８の照明システムの構成において、照明器具Ｈに懐中電灯等の発光器具を向けて、動作モードの切替操作を行ったときの周囲近傍の照明器具Ｃ，Ｇ，Ｈ，Ｉ，Ｍにおける照度センサの検出値（センサ電圧）を表している。照明器具Ｈに向けて発光器具を発光させて動作モード切替の操作をした場合、周辺の照明器具Ｃ，Ｇ，Ｉ，Ｍは、照度センサのセンサ電圧に増減が生じるものの、照明器具Ｈに比べて照度センサの検出値が小さくなる。この結果、照度センサの検出値が一番大きい照明器具Ｈのみで増減回数のインクリメントがなされ、動作モードが切替わる。
【００５６】
この第５の実施形態によれば、動作モードを切替えたい照明器具へ向けて光を照射して周辺の照明器具へも光が届いてしまうような場合でも、誤って意図しない照明器具の動作モードを切替えてしまうことを防止できる。
【００５７】
以上説明したように、本実施形態によれば、動作状態の切替として動作モードを設定、切替えるために専用の装置を必要とせず、また、照明器具とユーザとの距離に関係なく、照明器具または点灯装置毎に各種設定を行うことができる。これにより、部品のコストダウン、デザイン性の向上、操作性・作業性の向上、より幅広い使用環境への対応を図ることが可能になる。
【００５８】
この際、照度センサの出力信号の増減パターンを用いて動作モードを切替えることで、信号レベルの大小に関係なく、動作モードの設定、切替が可能となる。また、光源の明るさのフィードバック制御の応答速度よりも速い周期のパターンを持つ増減パターンによって、動作モードを切替えるようにすることで、明るさ一定制御によって光源の明るさが変化することを防止できる。また、増減パターンとして、所定範囲の時間間隔の増加と減少の少なくとも一方を含むパターンを用いることで、外的要因によるノイズ等の影響を受けにくくなり、誤動作を防止できる。例えば、所定範囲の時間間隔の増加または減少が発生した場合に増減条件が成立したと判定して増減回数をカウントし、増減回数が所定回数となった場合に所定の増減パターンが発生したと判定することで、より確実にユーザによる動作モード切替えの操作を検出できる。さらに、増加から減少または減少から増加に転じたピーク値を判定することで、より正確に動作モード切替えの操作を検出でき、誤動作を防止できる。
【００５９】
また、複数の照明器具がある場合に、他の照明器具の照度センサの信号レベルと比較し、自装置の信号レベルが大きい場合に動作モードを切替えることで、誤って意図しない照明器具の動作モードが切替わることを防止できる。
【００６０】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【符号の説明】
【００６１】
１  壁スイッチ
２  電源線
３  点灯装置
４  光源
５  照度センサ
６  点灯回路部
７  出力制御部
８  動作制御部
９  記憶部
１０  電源検出部
１００、１００ａ、１００ｂ、１００ｃ、１５０、１００−Ａ〜１００−Ｏ  照明器具
１１０  天井
１２０  発光器具
１２１  指示光
１６０  通信線
【図１】
2011003310.tif 000003
【図２】
2011003310.tif 000004
【図３】
2011003310.tif 000005
【図４】
2011003310.tif 000006
【図５】
2011003310.tif 000007
【図６】
2011003310.tif 000008
【図７】
2011003310.tif 000009
【図８】
2011003310.tif 000010
【図９】
2011003310.tif 000011
【図１０】
2011003310.tif 000012
【図１１】
2011003310.tif 000013
【図１２】
2011003310.tif 000014
【図１３】
2011003310.tif 000015
【図１４】
2011003310.tif 000016
【図１５】
2011003310.tif 000017
【図１６】
2011003310.tif 000018
【図１７】
2011003310.tif 000019
【図１８】
2011003310.tif 000020
【図１９】
2011003310.tif 000021